(57)【要約】【課題】非接触型センサを用いながらも、耐ノイズ性に優れ、生体情報の検出精度が高い生体情報検出装置を提供することを目的とする。【解決手段】本発明は、被測定対象に接触せずに生体信号を電気信号として取得する非接触型センサ部１０と、非接触型センサ部１０が電気信号として取得した生体信号を周波数スペクトルに変換するスペクトル変換部１４と、スペクトル変換部１４により得られた周波数スペクトルの分散の大きさに応じて、通過周波数帯域の帯域幅を変更する可変帯域フィルタ部１９と、可変帯域フィルタ部１９を通過した周波数スペクトルに基づいて生体情報を検出する生体情報検出部２０と、を備えることを特徴とする。【選択図】図２
2008125595.tif 000002
【特許請求の範囲】
【請求項１】
被測定対象に接触せずに生体信号を電気信号として取得する非接触型センサ部と、
前記非接触型センサ部が電気信号として取得した生体信号を周波数スペクトルに変換するスペクトル変換部と、
前記スペクトル変換部により得られた周波数スペクトルの分散の大きさに応じて、通過周波数帯域の帯域幅を変更する可変帯域フィルタ部と、
前記可変帯域フィルタ部を通過した周波数スペクトルに基づいて生体情報を検出する生体情報検出部と、
を備えることを特徴とする生体情報検出装置。
【請求項２】
前記可変帯域フィルタ部に周波数スペクトルが入力される前に、非線形補間処理により、周波数スペクトルの低周波数域のスペクトルを強調する非線形補間処理部を備えることを特徴とする請求項１に記載の生体情報検出装置。
【請求項３】
前記被測定対象の在床と不在床を判別する在床状態検出部を備え、
前記在床状態検出部は、前記被測定対象が在床の場合にのみ前記スペクトル変換部と前記可変帯域フィルタ部と前記生体情報検出部とを動作させることを特徴とする請求項１に記載の生体情報検出装置。
【請求項４】
前記被測定対象が不在床のときの周波数スペクトルを雑音スペクトルとし、前記被測定対象が在床のときの周波数スペクトルから雑音スペクトルを逓倍した周波数スペクトルを減算する雑音スペクトル除去部を備えることを特徴とする請求項３に記載の生体情報検出装置。
【請求項５】
周波数スペクトルのピークと分散の時間変化とにより、前記被測定対象の睡眠状態を推定する睡眠状態推定部を備えることを特徴とする請求項１〜４のいずれか１項に記載の生体情報検出装置。
【請求項６】
前記被測定対象に睡眠異常が発生した場合に、当該睡眠異常を検出する睡眠異常検出部を備えることを特徴とする請求項５に記載の生体情報検出装置。
【請求項７】
前記睡眠異常検出部が睡眠異常を検出したときに、その結果を報知する睡眠異常報知部を備えることを特徴とする請求項６に記載の生体情報検出装置。
【請求項８】
請求項１〜７のいずれか１項に記載の生体情報検出装置と、
外部機器と、
を備え、
前記外部機器は、前記生体情報検出装置の検出結果に基づいて制御されることを特徴とする睡眠環境制御システム。
【請求項９】
被測定対象に接触せずに生体信号を電気信号として取得する工程と、
電気信号として取得された生体信号を周波数スペクトルに変換する工程と、
周波数スペクトルの分散の大きさに応じて、周波数スペクトルの通過周波数帯域の帯域幅を変更し、周波数スペクトルを通過させる工程と、
通過した周波数スペクトルから生体情報を検出する工程と、
を含むことを特徴とする生体情報検出方法。
【発明の詳細な説明】
【技術分野】
【０００１】
本発明は、心拍数や呼吸数等の生体情報を検出する生体情報検出装置、当該生体情報検出装置を備える睡眠環境制御システムおよび生体情報検出方法に関する。
【背景技術】
【０００２】
心拍数や呼吸数等の生体情報を検出する方法として、人体にセンサ素子を接触させる接触型センサを用いる方法と人体にセンサ素子を接触させない非接触型センサを用いる方法の２種類がある。人体にセンサ素子を接触させる接触型センサを用いる場合には、例えば、特許文献１に記載の方法で、生体情報を検出することが可能である。人体にセンサ素子を接触させない非接触型センサを用いる場合は、例えば、特許文献２に記載の方法で、生体情報を検出することが可能である。
【特許文献１】特開平９−１６８５２１号公報
【特許文献２】特開平１１−１９０５６号公報
【発明の開示】
【発明が解決しようとする課題】
【０００３】
ところで、睡眠中の生体情報を検出する際に、接触型センサを使用すると、接触部の違和感により、睡眠に悪影響を及ぼす恐れがある。そのため、非接触型センサの使用が望まれている。
【０００４】
しかし、非接触型センサを使用する場合、人体信号以外の振動、マットレスの摩擦等によるノイズの混入により、生体情報をうまく検出できずに、心拍数や呼吸数を誤検出してしまうことがある。
【０００５】
そこで、本発明は、上記事情に鑑み、非接触型センサを用いながらも、耐ノイズ性に優れ、生体情報の検出精度が高い生体情報検出装置を提供することを目的とする。
【課題を解決するための手段】
【０００６】
上記課題を解決するために、請求項１に記載の生体情報検出装置は、被測定対象に接触せずに生体信号を電気信号として取得する非接触型センサ部と、非接触型センサ部が電気信号として取得した生体信号を周波数スペクトルに変換するスペクトル変換部と、スペクトル変換部により得られた周波数スペクトルの分散の大きさに応じて、通過周波数帯域の帯域幅を変更する可変帯域フィルタ部と、可変帯域フィルタ部を通過した周波数スペクトルに基づいて生体情報を検出する生体情報検出部と、を備えることを特徴とする。
【０００７】
請求項２に記載の発明は、上記請求項１に記載の生体情報検出装置において、可変帯域フィルタ部に周波数スペクトルが入力される前に、非線形補間処理により、周波数スペクトルの低周波数域のスペクトルを強調する非線形補間処理部を備えることを特徴とする。
【０００８】
請求項３に記載の発明は、上記請求項１に記載の生体情報検出装置において、被測定対象の在床と不在床を判別する在床状態検出部を備え、在床状態検出部は、被測定対象が在床の場合にのみスペクトル変換部と可変帯域フィルタ部と生体情報検出部とを動作させることを特徴とする。
【０００９】
請求項４に記載の発明は、上記請求項３に記載の生体情報検出装置において、被測定対象が不在床のときの周波数スペクトルを雑音スペクトルとし、被測定対象が在床のときの周波数スペクトルから雑音スペクトルを逓倍した周波数スペクトルを減算する雑音スペクトル除去部を備えることを特徴とする。
【００１０】
請求項５に記載の発明は、上記請求項１〜４のいずれか１項に記載の生体情報検出装置において、周波数スペクトルのピークと分散の時間変化とにより、被測定対象の睡眠状態を推定する睡眠状態推定部を備えることを特徴とする。
【００１１】
請求項６に記載の発明は、上記請求項５に記載の生体情報検出装置において、被測定対象に睡眠異常が発生した場合に、当該睡眠異常を検出する睡眠異常検出部を備えることを特徴とする。
【００１２】
請求項７に記載の発明においては、上記請求項６に記載の生体情報検出装置において、睡眠異常検出部が睡眠異常を検出したときに、その結果を報知する睡眠異常報知部を備えることを特徴とする。
【００１３】
請求項８に記載の睡眠環境制御システムにおいては、上記請求項１〜７のいずれか１項に記載の生体情報検出装置と、外部機器と、を備え、外部機器は、生体情報検出装置の検出結果に基づいて制御されることを特徴とする。
【００１４】
請求項９に記載の生体情報検出方法は、被測定対象に接触せずに生体信号を電気信号として取得する工程と、電気信号として取得された生体信号を周波数スペクトルに変換する工程と、周波数スペクトルの分散の大きさに応じて、周波数スペクトルの通過周波数帯域の帯域幅を変更し、周波数スペクトルを通過させる工程と、通過した周波数スペクトルから生体情報を検出する工程と、を含むことを特徴とする。
【発明の効果】
【００１５】
請求項１に記載の発明においては、周波数スペクトルの周波数変動が大きく、分散が大きい場合には、可変帯域フィルタ部が通過周波数帯域の帯域幅を広くするので、生体情報を検出することができる。分散が小さい場合には、可変帯域フィルタ部が通過周波数帯域の帯域幅を狭くするので、生体情報の検出精度を高めることができる。
【００１６】
請求項２に記載の発明においては、心拍数や呼吸数等の生体信号が存在する低周波数帯域のスペクトルを、演算量を増やさずに、精度よく推定できる。
【００１７】
請求項３に記載の発明においては、生体情報検出装置の消費電力を抑えることができる。
【００１８】
請求項４に記載の発明においては、雑音（ノイズ）のスペクトルを除去することができ、生体情報検出装置の設置環境の影響を拝上して生体情報の検出性能が向上する。
【００１９】
請求項５に記載の発明においては、睡眠状態の推定を行うことにより、外部機器の制御に活用することができる。
【００２０】
請求項６に記載の発明においては、被測定対象に睡眠異常が発生した場合に、当該睡眠異常を検出することにより、被測定対象の健康状態を判定することができる。
【００２１】
請求項７に記載の発明においては、被測定対象に睡眠異常が検出された場合に、その結果を報知することにより、被測定対象の健康状態を確認することができる。
【００２２】
請求項８に記載の発明においては、上記請求項１〜７に記載の生体情報検出装置を備えることにより、被測定対象に快適な睡眠を提供することができる。
【００２３】
請求項９に記載の発明においては、周波数スペクトルの周波数変動が大きく、分散が大きい場合には、可変帯域フィルタ部の通過周波数帯域の帯域幅を広くするので、生体情報を検出することができる。また、分散が小さい場合には、通過周波数帯域の帯域幅を狭くするので、生体情報の検出精度を高めることができる。また、リアルタイムに処理することができる。
【発明を実施するための最良の形態】
【００２４】
以下、本発明に係る実施形態を、図面に基づいて、説明する。
【００２５】
図１に、実施形態に係る睡眠環境制御システムを示す。ここで、図１（Ａ）は、側面図を示し、図１（Ｂ）は、上面図を示す。
【００２６】
生体情報検出装置１は、ベッド本体２とマットレス３との間に配置される。これにより、ユーザー４に生体情報検出装置１が接触することがないため、ユーザー４に不快感を及ぼすことがない。生体情報検出装置１は、ユーザー４から２０〜４０ｃｍ離すことができる。これは、一般的なマットレスの厚さに対応している。
【００２７】
また、枕５の近辺に、指示入力機器６が設けられている。指示入力機器６として、タッチパネルモニターを採用することができる。指示入力機器６は、ユーザー４からの指示が入力されると、その情報をコントローラ７へ伝える。
【００２８】
コントローラ７は、ベッド本体２の内部に備えられている。コントローラ７は、ユーザー４からの指示や、生体情報検出装置１の検出結果に従って、外部機器を制御し、ユーザー４の環境を整える。外部機器として、照明３１、エアコン３２やテレビ３３、コンテンツプレーヤ３４等のＡＶ機器が挙げられる。
【００２９】
図２に、生体情報検出装置１のブロック図を示す。
【００３０】
生体情報検出装置１は、非接触型センサ部１０と、ゲイン・フィルタ部１１と、ＡＤコンバータ部１２と、在床状態検出部１３と、スペクトル変換部１４と、非線形補間処理部１５と、正規化部１６と、雑音スペクトル推定部１７と、雑音スペクトル除去部１８と、可変帯域フィルタ部１９と、生体情報検出部２０と、生体情報検出制御部２１と、睡眠状態推定部２２と、睡眠異常検出部２３と、睡眠異常報知部２４と、データ転送部２５と、を基本構成とする。
【００３１】
非接触型センサ部１０は、非接触型センサ素子部１０１と、センサＩＦ部１０２と、を基本構成とする。
【００３２】
非接触型センサ素子部１０１は、静電容量型の振動センサであり、ユーザー４（図１参照）に接触せずに、振動により発生した電荷の量を計測する。
【００３３】
センサＩＦ部１０２は、非接触型センサ素子部１０１が計測した電荷の量をアナログ電気信号に変換する。
【００３４】
ゲイン・フィルタ部１１は、センサＩＦ部１０２が電荷の量から変換したアナログ電気信号について、所望の帯域において、フィルタリング処理や増幅処理を行う。所望の帯域とは、生体信号が出現する帯域であり、心拍数では、０．５〜１．５Ｈｚ、呼吸数では、０〜０．１Ｈｚである。
【００３５】
ＡＤコンバータ部１２は、ゲイン・フィルタ部１１がフィルタリング処理や増幅処理を行ったアナログ電気信号をデジタル電気信号に変換する。なお、この際のサンプリング周波数は、例えば、１ｋＨｚである。
【００３６】
在床状態検出部１３は、ＡＤコンバータ部１２がアナログ電気信号から変換したデジタル電気信号に基づいて、ユーザー４の在床状態を検出する。ユーザー４が在床し、生体信号が入力されているときは、所望の周波数帯域に生体信号が出現するが、ユーザー４が不在床のときなどは、生体信号が入力されず、本来、生体信号が出現する周波数帯域に、生体信号の強い成分が出現しない。
【００３７】
スペクトル変換部１４は、ＡＤコンバータ部１２がアナログ電気信号から変換したデジタル電気信号を周波数軸上のスペクトル（周波数スペクトル）に変換する。スペクトル変換部１４は、バッファを備え、バッファがＦＵＬＬになったときにＦＦＴを行う。
【００３８】
非線形補間処理部１５は、スペクトル変換部１４が変換した周波数スペクトルに非線形補間処理を行う。スペクトル変換部１４に備えられているバッファのサイズのポイント数により、周波数スペクトルの周波数間隔が大きくなり、心拍周波数のような細かい変動を捉えることができない場合がある。この場合、低周波数のスペクトルを強調し、高精度で推定するために、周波数スペクトルに、補間処理を行うとよい。補間処理として、線形補間処理と非線形補間処理とが挙げられるが、周波数スペクトルの推定精度の観点から、非線形補間処理のほうが好ましい。非線形補間処理として、例えば、ラグランジェの非線形補間処理を行うとよい。所望帯域の数点を用いることにより、周波数スペクトルを効果的に推定することができる。所望帯域の３点を用いた場合の非線形補間の例を、図３に示す。選択した区間の周波数スペクトル上の3点を、（ｘ０，ｇ０）、（ｘ１，ｇ１）、（ｘ２，ｇ２）とすると、3点を通る関数は、
Ｇ（ｘ）＝ａ０（ｘ−ｘ１）（ｘ−ｘ２）＋ａ１（ｘ−ｘ０）（ｘ−ｘ２）＋ａ２（ｘ−ｘ０）（ｘ−ｘ１）
となる。Ｇ（ｘｉ）＝ｇｉとなることから、ａ０、ａ１、ａ２は、
ａ０＝ｇ０／｛（ｘ０−ｘ１）（ｘ０−ｘ２）｝
ａ１＝ｇ１／｛（ｘ１−ｘ０）（ｘ１−ｘ２）｝
ａ２＝ｇ２／｛（ｘ２−ｘ０）（ｘ２−ｘ１）｝
となる。以上より、ｘ’、ｇ’は、
ｘ’＝（ｘ０＋ｘ１）／２
ｇ’＝ａ０（ｘ’−ｘ１）（ｘ’−ｘ２）＋ａ１（ｘ’−ｘ０）（ｘ’−ｘ２）＋ａ２（ｘ’−ｘ０）（ｘ’−ｘ１）
となる。
【００３９】
正規化部１６は、非線形補間処理部１５が非線形補間処理を行った周波数スペクトルを正規化する。生体情報の検出性能が周波数スペクトルの入力の大きさに依存するのを防止し、特に、ノイズが発生する環境下で、生体情報の検出性能を高めるためである。
【００４０】
雑音スペクトル推定部１７は、在床状態検出部１３で判断されたユーザー４の在床状態に基づいて、雑音スペクトルを算出する。雑音スペクトルは、不在床区間の周波数スペクトルの平均値とすることができる。なお、非接触型センサ部１０を用いて、生体情報を検出する場合には、ユーザー４の在床状態に関わらず、非接触型センサ部１０に不定期な振動が加わり、信号を検出する場合がある。特に、設置環境の振動特性等により、非接触型センサ部１０に振動が伝わる場合に、信号を検出する可能性が高い。そのような信号は、定常的な信号と非定常的な信号が考えられるが、定常的な信号は、ユーザー４の在床状態に関わらず、常に出力されている場合が多い。
【００４１】
雑音スペクトル除去部１８は、正規化部１６が正規化した周波数スペクトルから、雑音スペクトル推定部１７で計算された雑音スペクトル、すなわち不在床区間の周波数スペクトルの平均値、を逓倍したものを減算して、ノイズをカットした周波数スペクトルを算出する。なお、逓倍の倍率は、あらかじめ設定しておくことができる。ユーザー４が不在床の場合には、１倍であり、ユーザー４が在床の場合には、雑音が増えるので、２倍や３倍に設定する。
【００４２】
可変帯域フィルタ部１９は、雑音スペクトル除去部１８が算出した周波数スペクトルについて、生体信号が出現する周波数帯域におけるピークと分散の大きさにより、通過周波数帯域の帯域幅を変更し、通過させる。帯域幅は、あらかじめスレッショルドを設定しておくことにより定めることができる。生体信号が出現する周波数帯域は、例えば、心拍数では、０．５〜１．５Ｈｚである。図４に示すように、可変帯域フィルタ部１９は、分散（標準偏差）が小さいと、通過周波数帯域の帯域幅を狭い帯域幅ｗ１にして、狭い周波数帯域の周波数スペクトルのみ通過させるが（図４（Ａ）参照）、分散（標準偏差）が大きいと、通過周波数帯域の帯域幅を広い帯域幅ｗ２にして、広い周波数帯域の周波数スペクトルも通過させる（図４（Ｂ）参照）。
【００４３】
生体情報検出部２０は、可変帯域フィルタ部１９を通過した周波数スペクトルを分析することにより、生体情報を検出する。なお、生体情報検出部２０は、ユーザー４の環境や状態に応じて、着脱可能なメモリ部を有していてもよい。
【００４４】
生体情報検出制御部２１は、在床状態検出部１３で判断されたユーザー４の在床状態に基づいて、生体情報検出部２０の動作を制御する。例えば、消費電力を少なくするために、生体情報が必要な在床区間のみで、生体情報検出部２０を動作させ、生体情報を検出するとよい。
【００４５】
睡眠状態推定部２２は、生体情報検出部２０が検出した生体情報からユーザー４の睡眠状態を推定する。心拍数や呼吸数は、時々刻々と変化しており、この周波数スペクトルのピークと分散の時間的変化を利用して、眠りが浅いか深いか、覚醒か睡眠か等の睡眠状態を推定する。睡眠状態推定部２２の処理により、例えば、睡眠時間、浅い眠りと深い眠りの割合、夜中起床等の時間配分がわかる。
【００４６】
睡眠異常検出部２３は、生体情報検出部２０が検出した生体情報から、睡眠状態推定部２２が推定したユーザー４の睡眠状態に鑑みて、睡眠異常を検出する。睡眠異常は、時々刻々と変化する心拍数や呼吸数の変動の大きさにより検出することができる。例えば、ユーザー４の心拍は検出されているのに、呼吸が検出されなくなった場合には、ユーザー４に無呼吸症候群が発生している恐れがある。
【００４７】
睡眠異常報知部２４は、生体情報検出部２０が検出した生体情報および睡眠状態推定部２２が推定したユーザー４の睡眠状態を報知する。また、睡眠異常報知部２２は、睡眠異常検出部２３がユーザー４の睡眠異常を検出したときに、ユーザー４に睡眠異常が発生したことを報知する。なお、睡眠状態推定部２２がユーザー４の起床を推定することができるので、ユーザー４の睡眠を妨げず、ユーザー４が起床した時に、ユーザー４にこれらを報知することもできる。
【００４８】
データ転送部２５は、睡眠状態推定部２２が推定したユーザー４の睡眠状態や生体情報検出部２０が検出した生体情報に関するデータをコントローラ７（図１参照）に転送する。生体情報とは、例えば、心拍数、呼吸数の値やその時間的変化状態等である。
【００４９】
コントローラ７は、データ転送部２５から転送されたデータに従って、外部機器を制御し、ユーザー４の環境を整える。外部機器として、照明３１、エアコン３２やテレビ３３、コンテンツプレーヤ３４等のＡＶ機器が挙げられる。具体的には、コントローラ７は、データ転送部２５から転送されたデータに従って、ユーザー４の睡眠時には、照明３１やテレビ３３の電源をＯＦＦにしたり、ユーザー４の起床時には、照明３１を徐々に明るくしたり、テレビ３３にユーザー４の起床を促す画像や音声を出力させたりして、ユーザー４の睡眠環境を制御する。さらに、例えば、外部機器であるテレビ３３を、ユーザー４の健康状態が表示されるように制御する。
【００５０】
なお、在床状態検出部１３は、ユーザー４が在床の場合にのみ、スペクトル変換部１４と可変帯域フィルタ部１９と生体情報検出部２０を動作させるようにすることもできる。
【００５１】
生体情報検出装置１について、処理の流れの概略を図５のフローチャートに示す。
【００５２】
処理は、１ｋＨｚの割り込みにより実施される。これは、ＡＤコンバータ部１２のサンプリング周波数と同期したものである。
【００５３】
１ｋＨｚの割り込みにより、処理が開始する。（Ｓ１）。
【００５４】
割り込みが発生すると、ＡＤコンバータ部１２によりアナログ電気信号から変換されたデジタル電気信号がスペクトル変換部１４に備えられているバッファに格納される（Ｓ２）。このとき、バッファは２つ用意され、一方のバッファがＦＵＬＬの場合には、デジタル電気信号は、もう一方のバッファに順次格納される。
【００５５】
両方のバッファがＦＵＬＬでないときは（Ｓ３）、処理が終了する（Ｓ８）。
【００５６】
一方、両方のバッファがＦＵＬＬのときは（Ｓ３）、以降の処理が行われる（Ｓ４〜Ｓ８）。
【００５７】
まず、スペクトル変換部１４がバッファに格納されているデジタル電気信号を周波数スペクトルに変換する（Ｓ４）。
【００５８】
次に、可変帯域フィルタ部１９は、所望の周波数帯域、例えば、心拍では、０．５Ｈｚ〜１．５Ｈｚの帯域でのピークとその分散を求め、分散が大きければ、広い通過周波数帯域の帯域幅を算出し、分散が小さければ、狭い通過周波数帯域の帯域幅を算出する（Ｓ５）。
【００５９】
その後、可変帯域フィルタ部１９が周波数スペクトルを、Ｓ５で算出した通過周波数帯域の帯域幅に応じて、通過させ、フィルタリングする（Ｓ６）。ここでフィルタリングされた周波数スペクトルが生体信号を表現した周波数スペクトルである。
【００６０】
そして、生体情報検出部２０は、生体信号を表現した周波数スペクトルを用いて、生体情報を検出する（Ｓ７）。
【００６１】
生体情報が検出されると、処理が終了する（Ｓ８）。
【００６２】
したがって、周波数スペクトルの周波数変動が大きく、分散が大きい場合には、可変帯域フィルタ部１９が通過周波数帯域の帯域幅を広くするので、生体情報を検出することができる。分散が小さい場合には、可変帯域フィルタ部１９が通過周波数帯域の帯域幅を狭くするので、生体情報の検出精度を高めることができる。また、リアルタイムに処理することができる。
【００６３】
なお、非線形補間処理部１５を設けることにより、心拍数や呼吸数等の生体信号が存在する低周波数帯域のスペクトルを、演算量を増やさずに、精度よく推定できる。
【００６４】
また、在床状態検出部１３は、ユーザー４が在床の場合にのみ、スペクトル変換部１４と可変帯域フィルタ部１９と生体情報検出部２０を動作させるようにすれば、生体情報検出装置１の消費電力を抑えることができる。
【００６５】
さらに、雑音スペクトル除去部１８を設けることにより、雑音（ノイズ）のスペクトルを除去することができ、生体情報検出装置１の設置環境の影響を拝上して生体情報の検出性能が向上する。
【００６６】
また、睡眠状態推定部２２を設けることにより、睡眠状態の推定を行うことができるので、外部機器の制御に活用することができる。
【００６７】
さらに、睡眠異常検出部２３を設けることにより、ユーザー４に睡眠異常が発生した場合に、当該睡眠異常を検出することができるので、ユーザー４の健康状態を判定することができる。
【００６８】
またさらに、睡眠異常報知部２４を設けることにより、ユーザー４に睡眠異常が検出された場合に、その結果を報知することができるので、ユーザー４の健康状態を確認することができる。
【図面の簡単な説明】
【００６９】
【図１】実施形態に係る睡眠環境制御システムを示す図である。
【図２】実施形態に係る生体情報検出装置のブロック図である。
【図３】所望帯域の３点を用いた場合の非線形補間の例を示す図である。
【図４】可変帯域フィルタ部の処理を示す図である。
【図５】実施形態に係る生体情報検出装置について、処理の流れの概略を示すフローチャートである。
【符号の説明】
【００７０】
１            生体検出装置
２            ベッド本体
３            マットレス
４            ユーザー
５            枕
６            指示入力機器
７            コントローラ
１０          非接触型センサ部
１０１        非接触型センサ素子部
１０２        センサＩＦ部
１１          ゲイン・フィルタ部
１２          ＡＤコンバータ部
１３          在床状態検出部
１４          スペクトル変換部
１５          非線形補間処理部
１６          正規化部
１７          雑音スペクトル推定部
１８          雑音スペクトル除去部
１９          可変帯域フィルタ部
２０          生体情報検出部
２１          生体情報検出制御部
２２          睡眠状態推定部
２３          睡眠異常検出部
２４          睡眠異常報知部
２５          データ転送部
ｗ１、ｗ２    帯域幅
【図１】
2008125595.tif 000003
【図２】
2008125595.tif 000004
【図３】
2008125595.tif 000005
【図４】
2008125595.tif 000006
【図５】
2008125595.tif 000007